(57)【要約】【課題】デザイン性に優れ、また、冷感を持続し得る布帛製品の提供。【解決手段】非冷感素材からなる表面１０と冷感素材からなる裏面２０とを有し、好ましくは、表面１０にプリント印刷が施されている、手ぬぐい、ハンカチ、バンダナ等といった布帛製品１。【選択図】図１
0003218809.tif 000002
【実用新案登録請求の範囲】
【請求項１】
非冷感素材からなる表面と、冷感素材からなる裏面と、を有する布帛製品。
【請求項２】
非冷感素材の最大熱吸収速度（Ｑ−Ｍａｘ値）が０．１Ｗ／ｃｍ２未満であり、冷感素材の最大熱吸収速度（Ｑ−Ｍａｘ値）が０．１Ｗ／ｃｍ２以上である、請求項１記載の布帛製品。
【請求項３】
表面にプリント印刷が施されている請求項１又は２記載の布帛製品。
【請求項４】
手ぬぐい、ハンカチ又はバンダナである請求項１〜３のいずれか１項記載の布帛製品。
【考案の詳細な説明】
【技術分野】
【０００１】
本考案はハンカチや手ぬぐいなどといった布帛製品に関する。
【背景技術】
【０００２】
夏季の屋外など気温の高い状況では、汗を拭うためにハンカチや手ぬぐいなどが用いられる。また、直射日光を遮るためにハンカチや手ぬぐいを用いることも想定される。さらには、ハンカチや手ぬぐいを冷水で濡らしそれを首などに巻くことで涼をとることも考えられる。
【考案の概要】
【考案が解決しようとする課題】
【０００３】
近時、合成繊維の開発が進み、接触時に冷感を与える素材（冷感素材）が実用されてきている。そのような素材を用いて涼をとる製品が望まれる。他方、冷感素材はメッシュ地であるなど、デザイン性がやや犠牲にされる傾向があり、また、模様などの描画を施しにくい。さらに、炎天下での使用では冷感素材自体が温まって、冷感を得ることができる時間が短くなってしまう。
【０００４】
上記に鑑みて、本考案では、デザイン性に優れ、また、冷感を持続し得る布帛製品の提供を目的とする。
【課題を解決するための手段】
【０００５】
本考案者は鋭意工夫の結果、以下の考案を完成した。
（１）非冷感素材からなる表面と、冷感素材からなる裏面と、を有する布帛製品。
（２）非冷感素材の最大熱吸収速度（Ｑ−Ｍａｘ値）が０．１Ｗ／ｃｍ２未満であり、冷感素材の最大熱吸収速度（Ｑ−Ｍａｘ値）が０．１Ｗ／ｃｍ２以上である、（１）の布帛製品。
（３）表面にプリント印刷が施されている（１）又は（２）の布帛製品。
（４）手ぬぐい、ハンカチ又はバンダナである（１）〜（３）の布帛製品。
【考案の効果】
【０００６】
本考案によれば、ハンカチや手ぬぐい等の一方の面が冷感素材からなり、他方の面が非冷感素材からなるから、冷感素材からなる裏面を肌に接触させることにより高い冷感を得ることができる。その場合、非冷感素材からなる表面は外気に晒されることになるが、非冷感素材は熱伝導が小さいから、外気の熱を容れにくく、結果的に、ハンカチや手ぬぐい等の全体を温める速度が遅くなり、長く冷感を得ることができる。さらに、非冷感素材は従来公知の綿の生地などを選ぶことができ、印刷その他の加工が容易であり、デザイン性を高めることができる。
【図面の簡単な説明】
【０００７】
【図１】本考案の布帛製品の一例の模式図である。
【考案を実施するための形態】
【０００８】
図面を適宜参照しながら本考案を詳述する。但し、本考案は図示された態様に限定されるわけでなく、また、図面においては考案の特徴的な部分を強調して表現することがあるので、図面各部において縮尺の正確性は必ずしも担保されていない。
【０００９】
本考案の布帛製品は、表面と裏面とを定義することができる形状である。典型的には、布帛製品は、手ぬぐい、ハンカチ又はバンダナといった態様が想定され、前記列挙した製品に限定されず、表面及び裏面を定義できるような二次元形状またはそれに近い形状を有していればよい。
【００１０】
図１は本考案の布帛製品の一例の模式図である。布帛製品１は表面１０と裏面２０とを有する。表面１０は非冷感素材からなる。裏面２０は冷感素材からなる。
【００１１】
冷感素材は、当該素材が人体より低い温度域、例えば１０℃や２０℃において、接触する物体への熱伝導が大きくなるように構成された素材である。人体より低い温度域にある冷感素材に接触すると、人体からの熱が効率よく冷感素材へと伝達されるため、使用者は「冷感」を感じることができる。
【００１２】
上記の熱伝導を評価する指標として、最大熱吸収速度（Ｑ−Ｍａｘ値）が挙げられる。Ｑ−Ｍａｘ値は、２０℃で調湿した測定対象の布帛製品を平坦な断熱材の上に置き、センター付きの熱板（３０℃）を前記布帛製品に接触させ、そのときに熱板から奪われる熱量を測定することにより算出される。Ｑ−Ｍａｘ値の単位は「Ｗ／ｃｍ２」であり、例えば、Ｑ−Ｍａｘ値が０．１Ｗ／ｃｍ２以上のものを冷感素材であると評価し、０．１Ｗ／ｃｍ２未満であるものを非冷感素材であると評価することができる。冷感素材のＱ−Ｍａｘ値の上限は特に限定されないが、例えば、０．６Ｗ／ｃｍ２などが例示される。
【００１３】
冷感素材自体は公知であり、各繊維メーカー等から種々の合成繊維を用いたものが上梓されている。例えば、ポリエステル製のものはクールセンサー（登録商標）、ソアリオン（登録商標）など、ＥＶＯＨ繊維製のものはソフィスタ（登録商標）など、ナイロン製のものはクールイン（登録商標）、アイスブラスト（登録商標）など、混紡のものはクーリシモ（登録商標）、ペアクール（登録商標）などが入手可能である。
【００１４】
非冷感素材としては、従来公知の天然素材や合成繊維からなる素材などを特に限定無く用いることができる。布帛製品のデザイン性向上のため、非冷感素材からなる表面１０は和柄などのプリント印刷が施されることが好ましいので、非冷感素材としては、プリント印刷を施しやすい綿布などの材質からなるものが好ましい。
【００１５】
非冷感素材からなる表面１０にはプリント印刷が施されることが好ましく、印刷内容は特に限定は無く、例えば、和柄などが挙げられる。和柄としては、小紋柄、格子柄、水玉柄、矢絣、七宝、青海波、市松文様、鹿の子、唐草文様など種々のものが挙られ、これらの柄を複数組み合わせたり、人物画などをさらに組み合わせてもよい。
【００１６】
表面１０及び裏面２０のそれぞれの素材から布帛製品１を得る製法は特に限定は無く、例えば、非冷感素材及び冷感素材を貼り合わせて、布帛製品を得てもよい。布帛製品の大きさは特に限定は無く、手にもって身に着けることができる大きさが好ましい。布帛製品の形状は、表面と裏面とを定義できれば特に限定は無く、布帛製品の二次元形状として、長方形状であってもよいし、正方形状であってもよいし、四角形状以外の形状であってもよい。
【００１７】
本考案の布帛製品は、従来のハンカチや手ぬぐい等と同様に使用することができる。好ましい使用法として、布帛製品を水で濡らして絞った後に、裏面２０すなわち冷感素材からなる面を肌に当たるように、首などに巻くことが挙げられる。こうすることで、人体からの熱が急速に冷感素材へと伝導して、使用者は強い冷感を得ることができる。このとき、外気側には非冷感素材からなる表面１０が露出しており、外気と布帛製品との熱の伝導は小さいので、結果として、全体を冷感素材で構成するよりも布帛製品自体の昇温は抑えられる傾向にある。
【００１８】
使用者の人体からの熱により冷感素材が温まってしまうと冷感が弱くなる。その場合は、再度、布帛製品を冷水で濡らして絞ることで温度を低下させることができる。そのように温度の下がった布帛製品の冷感素材からなる裏面を肌に接触させることで、ふたたび冷感を得ることができる。
【００１９】
布帛製品を水で濡らした後に布帛製品全体を強く振ると、気流の関係から、布帛製品をより低温にすることができ、そのように低温化した布帛製品を肌に当てることで、より強い冷感を得ることができる。
【実施例】
【００２０】
裏面にＱ−Ｍａｘ値が０．１１Ｗ／ｃｍ２程度の冷感素材（ナイロンガーゼ）を用い、表面に和柄をプリント印刷した綿布（Ｑ−Ｍａｘ値が０．０６Ｗ／ｃｍ２程度）を用いた、短辺が約１０ｃｍ、長辺が約７０ｃｍの長方形状のバンダナを製造した。表面と裏面とは縫い合わせることにより結合させた。このバンダナを水道水で濡らし、絞ってから強く振った。その後、気温約３０℃の屋外にて、裏面側が肌に接触するようにこのバンダナを首に巻くと、極めて強い冷感を得ることができた。この冷感は約２０分ほど継続した。冷感が無くなった後に、再びこのバンダナを水道水で濡らして、絞って、振ってから首に巻くと、再度、冷感を得ることができた。冷感が無くなるたびに、上述の作業を繰り返したところ、何度でも冷感を得ることができた。
【符号の説明】
【００２１】
１：布帛製品
１０：表面
２０：裏面
【図１】
0003218809.tif 000003